(57)【特許請求の範囲】
【請求項１】
外窓に間隔をおいて内側に設けられる複数の障子を備えた窓であって、前記内側の窓における上枠（１）の上部に、下部に走行方向に連続したスリット（２ａ）を有する断面下向き開口の溝部（２）が設けられ、
前記スリット（２ａ）は前記上枠１における間隔をおいて対抗する内向きフランジからなる吊車支持レール（３，４）の端面間により形成され、
室外側よりの吊車支持レール（３）の基端部には、下向きに側部フレーム（５）が一体に連設され、その側部フレーム５には、内向きにガイド溝（６）を有するガイドレール（７）が形成され、そのガイドレール（７）に直動障子（８）を支持している各吊り材（９）のガイドローラ１０が転動可能に嵌合されて、直動障子（８）は移動可能に支持され、
室内側よりとなる他方の吊り車支持レール（４）の基端部には、その吊り車支持レール（４）の下面と同レベルのガイドレール取付け用張り出しフランジ（１１）が室内側に突出するように水平に一体に設けられ、
前記他方の吊り車支持レール（４）および前記ガイドレール取付け用張り出しフランジ（１１）の下部には、着脱自在な後部および前部のガイドレール１（１５，１６）を除いて上枠（１）に一体にフレームを設けることなく障子面に直角な方向の室内側が開放された側方開口端部（１３）とされ、
前記他方の吊り車支持レール（４）および前記ガイドレール取付け用張り出しフランジ（１１）の下面は、同レベルとされた取付け部（１４）とされ、その取付け部（１４）に後部および前部のガイドレール（１５，１６）が着脱自在に取付けられ、
前記溝部（２）に、移動障子（１９）を間接的に支持する前後の吊り車フレーム（２５）を有する吊り車（２３）が配置されると共に、各吊り車支持レール（３，４）の上面側に、前後の各吊り車（２３）における前後左右の各車輪（２６）が載置されて、吊り車（２３）は走行可能にされ、
前後の各吊り車フレーム（２５）の中央部には、可動アーム用吊り縦軸（２２）の上部が回転可能に支承され、その吊り縦軸（２２）の下端部には、水平な可動アーム（２４）の一端部が水平回動可能に支承され、
前記各可動アーム（２４）の他端側の巾方向に偏心した位置における上部側に、縦軸により回転可能にガイドローラ（２７）が設けられ、前記各可動アーム（２４）の巾方向吊り縦軸側に、移動障子吊り材（２８）を回動可能に吊り支持する縦吊り軸（２９）の上部が支持され、
走行方向の前後の各吊り材（２８）に移動障子（１９）における障子（１９ｂ）の上部が着脱可能な取付け用横軸（１９ｃ）により支持され、
各可動アーム（２４）のガイドローラ（２７）は、それぞれガイドレール（１５，１６）に嵌設されていることを特徴とする窓。
【請求項２】
ガイドレールは、下方が開口された断面下向き開口溝形の部材とされ、その上面板が取付け部にねじにより着脱可能に取付けられていることを特徴とする請求項１に記載の窓。
【請求項３】
移動障子側のガイドロ−ラをガイドするガイドレールは、直線状部分のみからなるガイドレール部分とそれ以外の非直線状部分を含むガイドレール部分との複数のガイドレール部分とにより構成されていることを特徴とする請求項１または２に記載の窓。
【発明の詳細な説明】
【技術分野】
【０００１】
本発明は、外窓に間隔をおいて内側に設けられる窓に関し、主として室内の空調用として用いられる窓に関する。
【背景技術】
【０００２】
従来、外窓に間隔をおいて内側に設けられる窓は、主として室内の空調用として用いられ、外窓とその内側の窓との間で上部等に空調設備あるいはブラインド等が設置され、これらの空調設備の点検時にのみ、窓の移動障子を引き出して作動させるものである（例えば特許文献１参照）。
【０００３】
したがって、前記窓は、室内側に配置されるため、気密性よりも室内デザインに深く関係しているため、デザイン優先の窓であり、例えば、図１５（ａ）に示すように窓５３では、移動障子（障子面に対し直角方向に変位を伴って移動する障子）１９が直動障子（障子面に対し直角方向に変位を伴わないで一直線上に移動する障子）８に直列状態となり閉塞された状態では、ガラス等の障子８ｂ，１９ｂがすべて一直線上に配列されて同じ垂直面上に位置し、直列に並ぶ全ての障子全体が同面上となりフラットになっている。そして、前記のように、空調点検時のみ、移動障子１９を障子面に直角方向の変位を伴って左右方向に引き出して作動させたり、必要に応じ、前記の直動障子８を左右方向に移動させたりするものである。
【０００４】
このような目的の窓５３として、例えば、図１２および図１３に示すような構造の吊り車式の窓５３も知られている。また、図１４に示すような構造の吊り車式窓５３も知られている。
【０００５】
図１２および図１３の窓５３の構造では、上枠１の上部内側溝部２内において、上面板４０の下面側に横方向に屈曲するガイドレール４１を一体に設けた構造であり、また吊り車フレーム４２に貫通配置した縦軸４３を回転可能に支持すると共に、前記縦軸４３の上端部に、先端部にガイドローラ４４を有する上部可動アーム４５の基端部を固定している。
【０００６】
また、前記縦軸４３の下端部に下部可動アーム４６の基端部を固定して、ガイドレール４１によってガイドされるガイドローラ４４の横方向の位置変更に伴って、前記上部可動アーム４５と下部可動アーム４６とを縦軸４３を介して連動して回動するようにし、前記下部可動アーム４６の偏心した先端部に縦軸４７を回動可能に取付け、その縦軸４７に障子１９ｂを支持する障子吊り材４８の上端部を取付けた構成の移動障子１９とされている。
【０００７】
また、図１４の窓５３の構造では、上枠１に一体に断面半円状のガイド溝４９を有するガイド溝付レール５０を設け、移動障子１９を支持している障子吊り材５１の上部下面に自在車５２を転動させる構造とされている。
【特許文献１】特公平７−６３３６号公報
【発明の開示】
【発明が解決しようとする課題】
【０００８】
前記のような窓５３は、建物の竣工時には比較的広い部屋内に設置されている場合が多いが、近年、竣工後において、図１５（ｂ）に示すように、広い大部屋を一つまたは複数の間仕切り壁３３等により小区分に分割した分割部屋３４にする必要性が生じる場合がある。
【０００９】
このように間仕切り壁３３等の設置によって、障子の引き勝手を変更したり、又は、障子（ガラス）の割りが変更になる場合、従来の窓５３の構造では、窓枠ごと取替えたり、丁番で開きにしたり、障子を固定にしたりして、不便であった。
【００１０】
さらに説明すると、前記のように分割部屋３４とする場合、前記従来の吊り車式窓５３における障子、特に移動障子１９を位置変位可能なようにガイドするガイドレール４１（５０）は、上部の内側溝部２内にガイドレール４１を設けたり、上枠１と一体にガイドレール５０が設けられて、金物が奥まっている構造であるため、ガイドレール４１，５０の変更が容易でなく、窓全体を取替えたり、直動障子８または移動障子１９を固定したりするようになり不便であると共に、窓枠ごと取替えるようになると、工費が非常に高くなるという問題がある。
【００１１】
本発明は、間仕切り壁３３等の設置によって、障子の引き勝手を変更したり、又は、障子（ガラス）の割りが変更になった場合にガイドレールの部分を変更して対応することができ、しかもガイドレールの変更が容易で安価な工費で変更可能な窓を提供することを目的とする。
【課題を解決するための手段】
【００１２】
前記の課題を有利に解決するために、本発明の第１発明の窓では、外窓に間隔をおいて内側に設けられる複数の障子を備えた窓であって、前記内側の窓における上枠（１）の上部に、下部に走行方向に連続したスリット（２ａ）を有する断面下向き開口の溝部（２）が設けられ、
前記スリット（２ａ）は前記上枠１における間隔をおいて対抗する内向きフランジからなる吊車支持レール（３，４）の端面間により形成され、
室外側よりの吊車支持レール（３）の基端部には、下向きに側部フレーム（５）が一体に連設され、その側部フレーム５には、内向きにガイド溝（６）を有するガイドレール（７）が形成され、そのガイドレール（７）に直動障子（８）を支持している各吊り材（９）のガイドローラ１０が転動可能に嵌合されて、直動障子（８）は移動可能に支持され、
室内側よりとなる他方の吊り車支持レール（４）の基端部には、その吊り車支持レール（４）の下面と同レベルのガイドレール取付け用張り出しフランジ（１１）が室内側に突出するように水平に一体に設けられ、
前記他方の吊り車支持レール（４）および前記ガイドレール取付け用張り出しフランジ（１１）の下部には、着脱自在な後部および前部のガイドレール１（１５，１６）を除いて上枠（１）に一体にフレームを設けることなく障子面に直角な方向の室内側が開放された側方開口端部（１３）とされ、
前記他方の吊り車支持レール（４）および前記ガイドレール取付け用張り出しフランジ（１１）の下面は、同レベルとされた取付け部（１４）とされ、その取付け部（１４）に後部および前部のガイドレール（１５，１６）が着脱自在に取付けられ、
前記溝部（２）に、移動障子（１９）を間接的に支持する前後の吊り車フレーム（２５）を有する吊り車（２３）が配置されると共に、各吊り車支持レール（３，４）の上面側に、前後の各吊り車（２３）における前後左右の各車輪（２６）が載置されて、吊り車（２３）は走行可能にされ、
前後の各吊り車フレーム（２５）の中央部には、可動アーム用吊り縦軸（２２）の上部が回転可能に支承され、その吊り縦軸（２２）の下端部には、水平な可動アーム（２４）の一端部が水平回動可能に支承され、
前記各可動アーム（２４）の他端側の巾方向に偏心した位置における上部側に、縦軸により回転可能にガイドローラ（２７）が設けられ、前記各可動アーム（２４）の巾方向吊り縦軸側に、移動障子吊り材（２８）を回動可能に吊り支持する縦吊り軸（２９）の上部が支持され、
走行方向の前後の各吊り材（２８）に移動障子（１９）における障子（１９ｂ）の上部が着脱可能な取付け用横軸（１９ｃ）により支持され、
各可動アーム（２４）のガイドローラ（２７）は、それぞれガイドレール（１５，１６）に嵌設されていることを特徴とする。
また、第２発明では、第１発明の窓において、ガイドレールは、下方が開口された断面下向き開口溝形の部材とされ、その上面板が取付け部にねじにより着脱可能に取付けられていることを特徴とする。
また、第３発明では、第１発明または第２発明の窓において、移動障子側のガイドロ−ラをガイドするガイドレールは、直線状部分のみからなるガイドレール部分とそれ以外の非直線状部分を含むガイドレール部分との複数のガイドレール部分とにより構成されていることを特徴とする窓。
【発明の効果】
【００１３】
本発明によると、障子面に直角方向に変位を伴って移動する移動障子におけるガイドロ−ラをガイドするガイドレールを、窓上枠における端部側に設けたので、間仕切り壁等の設置によって、障子の引き勝手を変更したり、又は、障子のガラスの割りが変更になった場合にも、単に主として端部側のガイドレールの長さ、偏心ガイド部の位置あるいは偏心屈曲ガイドレールの勝手等を変更することにより容易に対応することができるため、安価な工費で容易に変更可能な窓とすることができる。
また本発明によると、障子面に直角方向に変位を伴って移動する移動障子におけるガイドロ−ラをガイドするガイドレールを、窓上枠における端部側に設けた取付け部に着脱自在に取付けたので、間仕切り壁等の設置によって、障子の引き勝手を変更したり、又は、障子のガラスの割りが変更になった場合にも、単に主として着脱自在なガイドレールを切り詰めたり、付け替えたり、偏心屈曲ガイドレールの反対勝手等を変更することにより容易に対応することができるため、安価な工費で容易に変更可能な窓とすることができる。
また本発明によると、障子面に直角方向に変位を伴って移動する移動障子におけるガイドロ−ラをガイドするガイドレールを、窓上枠の側方開放端部側の取付け部に着脱自在に取付けたので、窓上枠の側方開放端部側の開放された空間で作業できるため、ガイドレール等を変更する作業性を著しく向上させることができる窓とすることができる。
また本発明によると、窓における上枠の吊り車支持レール下面をガイドレールの取付け部の一部としたので、吊り車支持レール下面を有効に利用して、ガイドレールを取付けることができる。
また本発明によると、上枠の吊り車支持レールの下面と同レベルとしたガイドレール取付け用張り出しフランジが側方開放端部側に張り出すように設けられ、かつ吊り車支持レールと一体に連設された上枠とされているので、ガイドレールの取付け部の構成が簡単になると共に、吊り車支持レールの下面とガイドレール取付け用張り出しフランジの下面が同レベルとされているので、これらの下面を基準としてガイドレールを容易に取付けることができると共に、障子表面に直角方向に屈曲した偏心幅の大きいガイドレールであっても、吊り車支持レールの下面とガイドレール取付け用張り出しフランジの下面を有効に利用して偏心幅の大きいガイドレールを容易に取付けることができる。
第２発明によると、ガイドレールは、下方が開口された断面下向き開口溝形の部材とされ、その上面板が取付け部にねじにより着脱可能に取付けられているので、ガイドレールの構成が簡単であると共にガイドレールを容易に取付けることができる。
また本発明によると、各吊り車フレームの下方に配置された一つの可動アームに、ガイドローラを上部側に障子吊り材を下部側に配置した簡単な構成となり、ガイドレールに沿って案内されるガイドローラによって回動される一つの可動アームにより障子吊り材を介して障子を横方向に偏心移動させる部品数の少ない構造とすることができる。
また本発明によると、吊り車フレームに支持された可動アーム用吊り縦軸の下端部に、可動アームの一端部が回動可能に支持され、前記可動アームの他端側の可動アームの巾方向に偏心した位置に縦軸により回転可能にガイドローラが設けられ、前記可動アームの巾方向の可動アーム用吊り縦軸側に、移動障子吊り材を支持する縦吊り軸の上部が回動可能に支持されているので、可動アーム用吊り縦軸と移動障子吊り材を支持する縦吊り軸とが、吊り車フレームの走行方向の中心軸線に位置した状態の可動アームを回動して、移動障子を移動させながら障子直角方向に偏心移動させたり、偏心移動した状態から元の偏心しない位置に移動させることができる。
第３発明によると、移動障子側のガイドローラをガイドするガイドレールを、直線状部分のみからなるガイドレール部分とそれ以外の部分とにより構成したので、直線状部分のガイドレールを短くしたり、あるいは直線状部分のガイドレールを他の長さ寸法の異なる直線状ガイドレールに置き換え等、障子割りに応じて、既存または新たな非直線状部分のガイドレールと、短くした既存の直線状ガイドレールあるいは新規な直線状ガイドレールとの適宜の組み合わせが可能になり、施工の自由度および経済的な施工が可能になる。
【発明を実施するための最良の形態】
【００１４】
図１〜図７は、本発明の一実施形態を示すものであって、図１は本発明の一実施形態の窓を示す概略側面図、図２は図１の概略横断平面図、図３は移動障子がこれに直角方向に偏心しない状態で、直動障子と同面上に配置されているときのガイドレールとガイドローラ等の関係を示す縦断正面図、図４は、移動障子がこれに直角方向に直動障子に対して偏心した状態で、直動障子と同面上に配置されていないときのガイドレールとガイドローラ等の関係を示す縦断正面図、図５は移動障子をガイドするガイド機構を示す底面図である。
【００１５】
図７は、移動障子が直動障子に対して偏心した状態で移動するときのガイドレールとガイドローラ等の関係を示す底面図、図８は図７の一部縦断側面図、図９（ａ）は下部ガイド部材の平面図、図９（ｂ）はその側面図、図１０は間仕切り壁を設置した場合に本発明を適用した場合の変更部を説明するための概略側面図である。
【００１６】
まず、本発明の窓における上枠および各障子のガイド支持構造について図３および図４を参照して説明する。
上枠１の上部には、下部に所定の開口幅ａの走行方向に連続したスリット２ａを有する断面下向き開口の溝部２が設けられ、前記開口幅ａのスリット２ａは、前記上枠１における間隔をおいて対向する内向きフランジからなる吊り車支持レール３，４の端面間により形成され、前記スリット２ａは、後記の可動アーム用縦吊り材２２を通過可能にしている。
【００１７】
室外側よりまたは室内側よりのいずれか一方側（図示の場合は室外側より）となる前記一方の吊り車支持レール３の基端部には、下向きに側部フレーム５が一体に連設され、その側部フレーム５の下部には、内向きにガイド溝６を有するガイドレール７が形成され、そのガイドレール７に直動障子８を支持している前後の各吊り材９のガイドロ−ラ１０が転動可能に嵌合されている。前記各吊り材９に障子８ｂの上部が着脱可能な取付け用横軸８ｃにより支持され、移動方向に間隔をおいた前後の吊り材９により、前記直動障子８は、直線状に移動可能に支持されている。
【００１８】
室内側よりまたは室外側よりのいずれか他方方側（図示の場合は室内側より）となる前記他方の吊り車支持レール４の基端部には、その吊り車支持レール４の下面と同レベルのガイドレール取付け用張り出しフランジ１１が、障子表面に直角方向で、前記他方側（室内側）に突出するように水平に一体に設けられている。
【００１９】
前記他方の吊り車支持レール４および前記ガイドレール取付け用張り出しフランジ１１の下部には、後記の着脱自在なガイドレール１５，１６を除いて上枠１に一体にフレームを設けることなく、障子面に直角な方向の側方（図示の場合は室内側Ａ）が開放された側方開放端部１３とされている。
【００２０】
なお、図示を省略するが、側方開放端部１３に、ビス等により着脱可能な化粧板からなるカバー材の上部を上枠１に固定することにより、室内側の後記のガイドローラ２７および可動アーム２４等を目隠しするようにし、窓の意匠効果を高めるようにしてもよい。
【００２１】
前記他方の吊り車支持レール４の下面および前記ガイドレール取付け用張り出しフランジ１１の下面は同レベルとされたガイドレール１５，１６の取付け部１４とされている。このように、吊り車支持レール４およびガイドレール取付け用張り出しフランジ１１を設けることにより、広幅のガイドレールの取付け部１４とすることができ、横方向に偏心するように屈曲されたガイドレールを容易に取付けることができる。
【００２２】
図示の形態では、前記他方の吊り車支持レール４の平坦な下面およびこれに接続する前記ガイドレール取付け用張り出しフランジ１１の平坦な下面に、下向き開口溝形の型材からなる後部ガイドレール１５および前部ガイドレール１６が走行方向に間隔をおいて、それぞれビス１７により着脱可能に取付けられている（図５参照）。
【００２３】
さらに説明すると、図示の形態では、後部ガイドレール１５および前部ガイドレール１６の上面板１８に透孔が設けられ、前記他方の吊り車支持レール４およびガイドレール取付け用張り出しフランジ１１に雌ねじ孔が設けられ、下面側からビス１７により前記各ガイドレール１５，１６は、取付け部１４に取付けられている。
【００２４】
後部ガイドレール１５は、図５に示すように、後端側の直線状ガイド部１５ａとこれに一体に形成されて横方向（室内側）に漸次離れる（偏心）ように傾斜する偏心ガイド部１５ｂと、これに一体に形成された前端部側の短尺直線状ガイド部１５ｃとを備えた偏心屈曲ガイドレール１５ｄと、前記短尺直線状ガイド部１５ｃに直列に接続する直線状の偏心ガイドレール１５ｅとにより分割可能に構成されている。
【００２５】
前部ガイドレール１６は、後端部に障子表面に直角方向の直線状ガイド部１６ａを備えていると共に、偏心した位置の先端部に短尺直線状先端ガイド部１６ｂを備えた円弧状ガイドレール１６ｃと、その偏心した先端ガイド部１６ｂに接続する偏心ガイドレール１６ｄとにより分割可能に構成されている。なお、図５では、前部ガイドレール１６の前部側を省略したが、前部ガイドレール１６の前部側には、適宜ストッパを設けるようにしてもよい。
【００２６】
前記のように横方向（室内側）に離れるように漸次偏心する偏心ガイド部１５ｂおよび円弧状ガイドレール１６ｃを設けることにより、これらに係合してガイドされる後記する移動障子１９側のガイドローラ２７を案内し、移動障子１９を確実に、直動障子８と同一垂直面の偏心しない位置から偏心した位置に、あるいは偏心した位置から偏心しない元の位置に正確に移動配置することができる。
【００２７】
前部ガイドレール１６および後部ガイドレール１５における長尺な直線状偏心ガイドレール１５ｅの中心軸線までの偏心距離は同じ距離の設定とされ、各偏心屈曲ガイドレール１５ｄおよび直線状の偏心ガイドレール１５ｅ，１６ｄ並びに円弧状ガイド部１６ｃは、それぞれ複数のビス１７により着脱可能に取付けられ、これらのガイドレール部品の移動変更が容易とされている。
【００２８】
後端部の直線状ガイド部１５ａの一側部は、前記間隔a内に位置させていると共に、直線状ガイド部１５ａの一側部外側と、後記の吊り縦軸２２とは、直接接触しないように、吊り縦軸２２が直線状レール１５ａの一側部外側に位置した場合に、直線状レール１５ａの一側部外側と吊り縦軸２２との間に、間隙Ｂが設けられるように、対向する吊り車支持レール３，４間の前記間隔ａおよび吊り軸２２並びに直線状レール１５ａの位置関係は設定されていると共に、可動アーム２４およびこれに取付けられているガイドロ−ラ２７の位置関係は設定されている。
【００２９】
次に、上枠１の上部の溝部２と、吊り車２３と、可動アーム２４と前記ガイドレール１５，１６との関係について説明する。
上部の前記溝部２に、移動障子１９を間接的に支持する前後の吊り車フレーム２５を有する吊り車２３が配置されると共に、各吊り車支持レール３，４の上面側に、前後の各吊り車２３における前後左右の各車輪２６が載置されて、吊り車２３は走行可能にされている。前後の各吊り車フレーム２５の中央部には、可動アーム用吊り縦軸２２の上部が回転可能に支承され、その吊り縦軸２２の下端部には、水平な可動アーム２４の一端部が水平回動可能に支承されている。
【００３０】
前記各可動アーム２４の他端側の巾方向に偏心した位置における上部側に、縦軸により回転可能にガイドローラ２７が設けられ、前記可動アーム２４の巾方向吊り縦軸側に、移動障子吊り材２８を回動可能に吊り支持する縦吊り軸２９の上部が支持されている。走行方向の前後の各吊り材２８に障子１９ｂの上部が着脱可能な取付け用横軸１９ｃにより支持されている。
【００３１】
図５に示すように、各吊り車２３に装着された前記可動アーム用吊り縦軸２２の中心と移動障子吊り材２８の中心とが、前記スリット２ａの走行方向の中心線上に位置している時には、前記ガイドローラ２７の中心軸は、前記スリット２ａの走行方向の中心線上から横方向に離れたガイドレール１５，１６のほぼ巾方向中心線上に位置し、この状態では、移動障子１９は直動障子８と直列に、ほぼ同一垂直面上に位置するように構成されている。
【００３２】
次に、移動障子１９の下部をガイドするガイド部材について説明すると、移動障子１９が、直動障子８と同じ垂直面上に直列に位置しているとき（締り方状態）には、移動障子１９の後端下部は、図９（ａ）の左に示すように、窓下部枠あるいは床等に固定された断面上向き開口溝形の下部ガイド部材２０内に位置している。また、移動障子１９の前端下部は、図９（ａ）の右に示すように、窓下部枠あるいは床等に固定された断面上向き開口溝形の可動下部ガイド部材２１内に位置している。
【００３３】
前記の下部ガイド部材２０はその前後端部の内側に中央側に向かって接近するように傾斜する傾斜ガイド部を備えており、移動障子１９の前後方向の後端下部の振れ止め作用をしている。
【００３４】
前記の可動下部ガイド部材２１は、その前後端部の内側に中央側に向かって接近するように傾斜する傾斜ガイド部を備えており、移動障子１９の前後方向の前端下部の振れ止め作用をしている。可動下部ガイド部材２１の下部には、障子面に直角方向に突出する下部舌片３１が設けられ、その下部舌片３１は、窓下部枠あるいは床等に固定されたガイド支承部材３０のガイド溝３２に摺動可能に嵌設されて、移動障子１９がその位置を偏心したり、元の偏心しない位置に移動したときに、これに追従して移動障子１９の下部を支承している。
【００３５】
前記の下部ガイド部材２０内に、図２に移動障子１９（障子１９ｂ）の中心軌跡を２点鎖線で示すように、移動障子１９を移動させてその後端部を確実に案内させるために、移動障子１９は下部ガイド部材２０の直前において、下部ガイド部材２０の前後方向の中心垂直面上に移動障子１９の前後方向の中心垂直面が位置するか、または前記各中心垂直面相互が交差しても交差角が小さいほぼ平行状態で、移動障子１９を下部ガイド部材２０に向かって後方に移動させるとスムースに下部ガイド部材２０内に移動障子１９の後端下部を移動させることができる。なお、直動障子８の下部をガイドする下部ガイド部材は、前記下部ガイド部材２０と同様である。
【００３６】
前記のようにするため、また、各ガイドローラ２７は、この直径よりも僅かに巾寸法の大きい各ガイドレール１５（１６）のガイド溝を軌跡通りに作動するため、図５（ａ）の左側に示す偏心ガイド部１５ｂから直線状ガイド部１５ａにガイドローラ２７が位置した時点から移動障子１９をほぼ直線状に若干直進させた後、ガイド部材３０内に移動障子１９の後端下部がガイドされるようにしている。このようにするため、直線状ガイド部１５ａの基端部からガイドローラ２７が停止位置までの距離寸法ロおよび直線状ガイド部１５ａの長さ寸法イは、設計により適宜設定される。また、建物の収まり上、偏心ガイド部１５ｂの位置を変更する場合は、直線状ガイド部１５ａの基端部からガイドローラ２７が停止する位置までの距離ロを適宜変更することができる。
【００３７】
前記のように構成された直動障子８と移動障子１９は、建物の竣工時には、図１および図１０（ａ）に示すように交互に配置されて閉塞した状態で使用したり、空調設備点検時に、図１および図１０（ａ）に矢印で示すよう移動障子１９または直動障子８を移動させて、空調設備を容易に点検することができる。なお、建物の竣工時において、図７に示すように、前記の偏心した直線状の偏心ガイドレール１５ｅ，１６ｄを接続して長くすると、移動障子１９を適宜の位置に移動させることができる構成とすることも可能である。図中、左右方向の直線状の矢印Ｘは変位を伴わないで、直線的に矢印方向に移動することを示し、または屈折した矢印Ｙは障子面に直角方向の変位をともなって矢印方向に移動することを示している。
【００３８】
図１および図１０（ａ）の状態で図４あるいは図７のガイドレール配置構造の竣工時における移動障子１９および直動障子８の配置状態の広い部屋３５から、これを図１０（ｂ）に示すように、障子面に直角方向の間仕切り壁３３等を複数平行に設けて、複数の分割部屋３４とした場合には、各分割部屋３４の左右方向の内側寸法が短くなるため、（Ａ）各障子８，１９の左右方向の寸法が短くなる割りの変更したり、（Ｂ）障子の引き勝手を変更したり、（Ｃ）移動障子１９の移動方向（左右方向）の移動距離が変わるため、これに伴って、（Ｄ）偏心ガイド部１５ｂ等の位置変更に伴う後部ガイドレール１５の位置変更、（Ｅ）直線状の偏心ガイドレール１５ｅの長さ寸法を短く切りつめる長さ寸法の変更、偏心ガイドレール１６ｃの位置変更等をする必要が生じるようになる。
【００３９】
前記の（Ａ）〜（Ｃ）の変更を余儀なくされる場合、これらに対応して、本発明の窓では、後部ガイドレール１５および前部ガイドレール１６が、障子面に直角方向で、窓上枠１の側方開放端部側１３の取付け部１４に着脱可能に取付けた構成とされているので、後部ガイドレール１５および前部ガイドレール１６を、障子走行方向に移動したり、短く切り詰めたりすることにより、容易に対応することができる。
例えば、図１０（ｂ）に示すように、符号ニ，ヘで示す部分に位置する後部ガイドレール１５を短く切り詰めて設置したり、符号ホ，トで示す部分に位置する円弧状の偏心ガイドレール１６ｃを含めた前部ガイドレール１６を付け替えたりすればよい。
また、符号チ、リ，ヌで示す部分に位置する後部ガイドレール１５および前部ガイドレール１６を取り除いた後、新たな左右方向の寸法が短くされた新設の後部ガイドレール１５および前部ガイドレール１６をビスにより設けるようにすれば、移動方向（左右方向）の寸法の短い移動障子１９ａあるいは直動障子８ａにも容易に対応することができる。なお、移動障子１９（１９ａ）と吊り材２８あるいは直動障子８（８ａ）と吊り材９との位置関係の変更を必要とする場合には、着脱自在な取付け用横軸（セット軸）８ｃ，１９ｃの位置を変えて対応するようにすればよい。
【００４０】
前記の場合、後部ガイドレール１５および前部ガイドレール１６は、屈曲した部分あるいは円弧状部分の非直線状ガイド部分を主とするガイド部（ガイドレール部）と、直線状のみのガイドレールとに分割された構成とされているので、屈曲した部分あるいは円弧状部分のガイド部（ガイドレール部）をそのまま利用して取付け位置を変更すると共に、直線状のガイドレール部を短くし、取付け位置を変更して対応することもできる。
【００４１】
さらに説明すると、前記のように移動障子１９の各ガイドローラをガイドするガイドレール１５，１６は、直線状部分のみからなるガイドレール部分（１５ｅ，１６ｄ）とそれ以外の非直線状部分を含むガイドレール部分（１５ｄ，）との複数のガイドレール部分とにより構成されているので、直線状部分のガイドレールを短くしたり、あるいは直線状部分のガイドレールを他の長さ寸法の異なる直線状ガイドレールに置き換えることにより、障子割りに応じて、既存の非直線状部分のガイドレールと、短くした既存の直線状ガイドレールあるいは新規な直線状ガイドレールとの適宜の組み合わせが可能になり、施工の自由度および経済的な施工が可能になる。なお、ガイドレール１５，１６および障子の割りの変更に伴って、下部側の下部ガイド部材２０および可動下部ガイド部材２１も適宜移動すればよい。
【００４２】
また、各分割部屋３４を仕切る間仕切り壁３３を撤去し、各分割部屋３４を逆に統合して広い部屋３５とする場合の窓とする場合でも、前記と逆の施工作業をすることにより、容易に対応することができる。
【００４３】
前記のように、可動アーム用縦吊り軸２２とは別個に、可動アーム２４に縦吊り軸２９を設け、この縦吊り軸２９を介して障子吊り材２８を装着しているので、可動アーム２４は、吊り車フレーム２５の下方側に一つ設ければよくなり、従来のように、吊り車フレームの上下に連動させるように設ける場合に比べて構造が簡単となっている。また、各可動アーム２４および縦吊り軸２９が、ガイドレール１５（１６）よりも下方レベルに位置しているため、各可動アーム２４および縦吊り軸２９は、ガイドレール１５（１６）と干渉することはなく、各可動アーム２４および縦吊り軸２９は、ガイドレール１５（１６）と平面的に重なる位置から横方向に偏心した位置に、上枠１の外側の側方開放端部１３側で作動させることができ、また、上枠１の内部に可動アームを配置していないので、上枠１上部の横方向の断面寸法を小さくすることができる。
【００４４】
前記実施形態では、各ガイドレール１５，１６を、上枠１の平坦な下面のガイドレール取付け部１４に着脱自在に取付ける形態を示したが、本発明を実施する場合、図１１に示すように、上枠１における吊り車支持レール４および張り出しフランジ１１の下面側に一体にガイドレール１５（１６）の間隔をおいた両側板を構成するための縦部分１５ｆ（１６ｆ）を設けてもよい。
【００４５】
このように縦部分１５ｆ（１６ｆ）を一体に設けると、上枠１における吊り車支持レール４および張り出しフランジ１１の下面側に、ガイドレール１５，１６の縦部分１５ｆ（１６ｆ）のみを形成すればよいので、上枠１を安価に製作でき、間仕切り壁３３等による変更がない場合には経済的に有利である。
その他の構成は、前記実施形態と同様であるので、同様な部分には、同様な符号を付して説明を省略する。
【図面の簡単な説明】
【００４６】
【図１】本発明の一実施形態の窓を示す概略側面図である。
【図２】図１の概略横断平面図である。
【図３】移動障子がこれに直角方向に偏心しない状態で、直動障子と同面上に配置されているときのガイドレールとガイドローラ等の関係を示す縦断正面図である。
【図４】移動障子がこれに直角方向に直動障子に対して偏心した状態で、直動障子と同面上に配置されていないときのガイドレールとガイドローラ等の関係を示す縦断正面図である。
【図５】移動障子をガイドするガイド機構を示す底面図である。
【図６】図５の一部縦断側面図である。
【図７】移動障子が直動障子に対して偏心した状態で移動するときのガイドレールとガイドローラ等の関係を示す底面図である。
【図８】図７の一部縦断側面図である。
【図９】（ａ）は下部ガイド部材の平面図、（ｂ）は側面図である。
【図１０】（ａ）は竣工時の直動障子と移動障子とを同面上に直列に配置した状態の概略側面図、（ｂ）は２つの間仕切り壁を設置した場合に本発明を適用した場合の変更部を説明するための概略側面図である。
【図１１】上枠に一体にガイドレールを設けた本発明の他の実施形態を示すものであって、移動障子がこれに直角方向に直動障子に対して偏心した状態で、直動障子と同面上に配置されていないときのガイドレールとガイドローラ等の関係を示す縦断正面図で、前記図４に対応する図である。
【図１２】従来の窓構造の一例を示す縦断正面図である。
【図１３】（ａ）は図１１に示す従来の窓におけるつり車フレームおよびガイドローラ付近を示す側面図、（ｂ）は（ａ）の平面図である。
【図１４】さらに従来の窓の他の例を示す縦断正面図である。
【図１５】従来の竣工時の直動障子と移動障子とを同面上に配置した状態の概略側面図、（ｂ）は２つの間仕切り壁を設置した場合の説明図である。
【符号の説明】
【００４７】
Ａ      室内側
１      上枠
２      溝部
２ａ    スリット
３      吊り車支持レール
４      吊り車支持レール
５      側部フレーム
６      ガイド溝
７      ガイドレール
８      直動障子
８ａ    直動障子
８ｂ    障子
８ｃ    取付け用横軸
９      吊り材
１０    ガイドローラ
１１    ガイドレール取付け用張り出しフランジ
１３    側方開放端部
１４    取付け部
１５    後部ガイドレール
１５ａ  後端側の直線状ガイド部
１５ｂ  偏心ガイド部
１５ｃ  短尺直線状ガイド部
１５ｄ  偏心屈曲ガイドレール
１５ｅ  直線状の偏心ガイドレール
１５ｆ  縦部分
１６    前部ガイドレール
１６ａ  障子表面に直角方向の直線状ガイド部
１６ｂ  短尺直線状先端ガイド部
１６ｃ  偏心ガイドレール
１６ｄ  偏心ガイドレール
１６ｆ  縦部分
１７    ビス
１８    上面板
１９    移動障子
１９ａ  移動障子
１９ｂ  障子
１９ｃ  取付け用横軸
２０    下部ガイド部材
２１    可動下部ガイド部材
２２    吊り軸
２３    吊り車
２４    可動アーム
２５    吊り車フレーム
２６    車輪
２７    ガイドローラ
２８    移動障子吊り材
２８ａ  移動障子吊り材
２９    縦吊り軸
３０    ガイド支承部材
３１    下部舌片
３２    ガイド車
３３    間仕切り壁
３４    分割部屋
３５    広い部屋
【図１】
0003715297.tif 000002
【図２】
0003715297.tif 000003
【図３】
0003715297.tif 000004
【図４】
0003715297.tif 000005
【図５】
0003715297.tif 000006
【図６】
0003715297.tif 000007
【図７】
0003715297.tif 000008
【図８】
0003715297.tif 000009
【図９】
0003715297.tif 000010
【図１０】
0003715297.tif 000011
【図１１】
0003715297.tif 000012
【図１２】
0003715297.tif 000013
【図１３】
0003715297.tif 000014
【図１４】
0003715297.tif 000015
【図１５】
0003715297.tif 000016